(57)【特許請求の範囲】
【請求項１】
上部中央部の首挿入部内に首を通して腹側と背側の部分を覆うような形状に形成され、側面側にはワンタッチで着脱できる着脱ベルトが設けられて構成された身体を保冷するために着用するベストであって、
該ベストは、小孔が形成されて通水性，通気性が確保された少なくとも２枚の不織布を重ね合わせ縦横に碁盤目状にヒートシールして多数の区画された袋状空間部が形成され、該袋状空間部内がシート材を入れて仕切られた表側空間と裏側空間を有し、裏側空間内に、２００ミクロン以上の粉末状ないし球状の吸水性樹脂が封入され、表側空間内には消火剤とか有毒ガス吸収剤が封入されてなり、前記吸水性樹脂に吸水させて冷やし使用可能に構成されているとともに、該ベストの一部には、携帯用酸素ボンベ等の酸素補給具を入れ、または取り付けるポケット部が形成されていることを特徴とするベスト。
【発明の詳細な説明】
【０００１】
【産業上の利用分野】
この発明は、身体を保冷するために着用するベストに関するものである。
【０００２】
【従来の技術及びその課題】
従来、例えば消防隊員が消火活動を行う際には猛暑の中で作業が行われるため、消防隊員の血液温度が２度程度上昇し、猛烈な発汗状態下で過酷な消火活動を遂行せねばならないため、血液温度の上昇を防ぎ消火活動を楽に行えるように、図５に示すようなベスト５１を防火服の下に着用することがあり、このベスト５１は前面および後面にそれぞれ２個のポケット５２，５２が形成されており、このポケット５２，５２内に固形の蓄冷剤を入れるように構成されており、蓄冷剤より冷気を発して身体を冷やすものであるが、従来では、蓄冷剤が偏平な形状に固化することが少なく、蓄冷剤が氷塊状のゴツゴツした形状となり、このような形状の重い蓄冷剤をポケット５２，５２内に入れると、消火活動中等において身体に蓄冷剤の塊が当たり、身体に傷を与える可能性もあり、また、活動中に蓄冷剤の重さによりベスト５１が外側にズレ易く、不安定な状態となり、ベスト５１を着用すると活動が逆に鈍くなってしまうという問題点があった。
【０００３】
【課題を解決するための手段】
本発明は上記従来の問題点に鑑み案出したものであって、ゴツゴツすることなく活動性が良好で、良好に冷却できるベストを提供せんことを目的とし、その要旨は、上部中央部の首挿入部内に首を通して腹側と背側の部分を覆うような形状に形成され、側面側にはワンタッチで着脱できる着脱ベルトが設けられて構成された身体を保冷するために着用するベストであって、該ベストは、小孔が形成されて通水性，通気性が確保された少なくとも２枚の不織布を重ね合わせ縦横に碁盤目状にヒートシールして多数の区画された袋状空間部が形成され、該袋状空間部内がシート材を入れて仕切られた表側空間と裏側空間を有し、裏側空間内に、２００ミクロン以上の粉末状ないし球状の吸水性樹脂が封入され、表側空間内には消火剤とか有毒ガス吸収剤が封入されてなり、前記吸水性樹脂に吸水させて冷やし使用可能に構成されているとともに、該ベストの一部には、携帯用酸素ボンベ等の酸素補給具を入れ、または取り付けるポケット部が形成されていることである。
【０００４】
【実施例】
以下、本発明の実施例を図面に基づいて説明する。
図１は、ベストの斜視構成図であり、このベスト１は、上部中央部に首を通すための首挿入部１ａが形成されており、この首挿入部１ａ内に首を通して腹側と背側の部分を覆うような形状に形成され、側面側は開放されて、側面側にはマジックテープ等によりワンタッチで着脱できる着脱ベルト５，５が設けられており、首挿入部１ａ内に首を挿入して、着脱ベルト５，５を身体の側面側に巻いてベスト１を身体に固定できるように構成されており、このベスト１には表面および背面全体に縦横に碁盤目状にヒートシール部２が形成されて、このヒートシール部２間に多数の区画された袋状空間部３，３，３が形成されたものとなっており、ベスト１の外周側は外周シール部４となって外周が封止されている。
【０００５】
このヒートシール部２および袋状空間部３の断面拡大図を図２に示し説明すると、所定間隔に縦横方向に区画して形成された袋状空間部３，３，３は、表不織布７と裏不織布８を２枚重ね合わせて、前記ヒートシール部２においてヒートシールして接着させて形成したものであり、表不織布７および裏不織布８には複数の小孔７ａ，８ａが形成されて通水性，通気性が確保されたものとなっており、この表不織布７および裏不織布８としては、例えば、ポリエステル繊維と多孔性ポリプロピレンフイルムを主成分とし、これらを積層して形成した不織布であるとか、また、鞘芯構造のスパンポンド不織布等の不織布が使用されており、通気性を有するとともに前記小孔７ａ，８ａから各袋状空間部３内に吸水できるように構成されており、袋状空間部３内には吸水性樹脂９が封入されたものとなっている。
なお、吸水性樹脂９は２００ミクロン以上の粉末状ないし球状のものが用いられており、この吸水性樹脂９により袋状空間部３内に水を吸水保持できるように構成されている。
【０００６】
なお、図１において、前記着脱ベルト５より上方側の袋状空間部３，３内には吸水性樹脂９は封入されておらず、着脱ベルト５より下方側の各袋状空間部３，３内に吸水性樹脂９が封入されたものとなっている。
即ち、着脱ベルト５より上方側は、ベスト１を着用した時に心臓部分より上部部位であり、心臓の周辺は冷やさないように考慮したものであり、また、肩あたりの部分は動きが鈍くなるために活動しやすいように吸水性樹脂を入れずに構成したものである。
【０００７】
従って、着脱ベルト５より下方側の吸水性樹脂９が封入された袋状空間部３，３，３内に吸水性樹脂９を介し水を吸い込ませて、これを冷凍庫等で冷やし、凍結させた後に、ベスト１を着用し、その上に防火服を着て、消防隊員が消火活動を行うことができ、消火活動時に心臓付近は冷やさないために心臓に負担がかかることがなく、逆に肝臓あたりの部位は良好に冷やすことができ、血液温度を下げることができ、活動中に吸水性樹脂９に吸水されて冷やされた水の融解熱により良好に身体を冷やし、猛烈な発汗状態を低減させることができ、また、袋状空間部３から水蒸気が蒸発する際に気化熱を奪い、良好な冷却効果が得られ、さらに消防隊員の身体から発生する多量の汗を吸水性樹脂９が吸引することができ、過酷な消火活動を良好に補助することができるものとなる。
【０００８】
また、本例では、袋状空間部３，３，３が多数形成されて全体に均一に冷気が発せられるために、身体を局部的に冷やすことなく全体を良好に冷やすことができ、また、多数の袋状空間部３，３により吸水性樹脂９が全体に分散されているため、局部的にゴツゴツした感じがなく、身体に密着状にベスト１を着用することができ、重心が不安定となることがなく活動が容易となり、また、ベスト１の上部は吸水性樹脂９が封入されていないために動き易く、活動がスムーズとなり、また、この上部の袋状空間部３がクッション機能を果たし、疲れを低減させることができるものとなる。また、縦横にヒートシール部２が形成されているためベスト１全体に良好な可撓性が得られて、身体の動きに追従してベスト１が良好に変形し、活動中にベスト１がズレることなく、使用感が良好なものとなる。
【０００９】
なお、図１では、ベスト１の下部の裏側等にポケット部６が形成されており、このポケット部６内に予め携帯用酸素ボンベ等の携帯用酸素補給具１２を図４のように入れておくことができ、消火活動中等に必要に応じてポケット部６から携帯用酸素補給具１２を取り出して、吸い口１２ａを口でくわえて酸素を吸引しながら消火活動を行うこともでき、緊急時にはこの携帯用酸素補給具１２を良好に使用することができるものとなる。なお、ポケット部６内に入れる場合に限らず、携帯用酸素補給具１２を取り付けることのできる部位が形成されていれば良い。
【００１０】
次に、図３に断面拡大図で示すものは、前記袋状空間部３，３，３の変形例を示すものであり、この図３では、前記表不織布７と裏不織布８間に仕切りシート材１０を入れて、ヒートシール部２で熱溶着させて多数の袋状空間部３，３，３を形成したものであり、仕切りシート材１０により各袋状空間部３内は、表側空間３ａと裏側空間３ｂに仕切られており、この裏側空間３ｂ内に吸水性樹脂９が封入されており、また、前記表側空間３ａには消火剤とか有毒ガス吸収剤等の触媒１１を入れておくことができる。
このような構造のベスト１においては、吸水性樹脂９に吸水させて良好に身体を冷やすことができるとともに、表側空間３ａ内に封入された消火剤とか有毒ガス吸収剤により、消火活動中の不慮の事故を良好に防ぐことができるものとなる。
【００１１】
なお、通常、吸水性樹脂９に吸水させた後に冷凍庫等で冷凍させて用いるが、緊急の場合には、吸水させただけで直ぐ着用して用いる場合もあり、吸水させただけでも蒸発による気化熱により良好な冷却効果が期待できるものである。さらに、緊急時には、吸水させて液体窒素や液化炭酸ガスを急激に各袋状空間部３に吹きかけて、吸水性樹脂９に吸水させた水を急冷させることもでき、このような場合に、吸水性樹脂９の急激な体積膨脹があっても、袋状空間部３が破れることはない。
なお、前記吸水性樹脂９とともに硝酸アンモニウム等を混入させておけば、この硝酸アンモニウムが緊急時に冷気を発することができるものとなる。
【００１２】
なお、本例では、ベスト１を消火活動に使用する例を説明しているが、このベスト１は、その他、鋳物工場での作業時とか、地下での掘削作業時等、高温領域での作業時にも有効に使用することができるものである。
なお、図５に正面図で示すベスト１は、前記多数の袋状空間部３を縦長状に形成したものであり、機能は前記図１のベストとほぼ同様なものである。
【００１３】
【発明の効果】
本発明は、上部中央部の首挿入部内に首を通して腹側と背側の部分を覆うような形状に形成され、側面側にはワンタッチで着脱できる着脱ベルトが設けられて構成された身体を保冷するために着用するベストであって、該ベストは、小孔が形成されて通水性，通気性が確保された少なくとも２枚の不織布を重ね合わせ縦横に碁盤目状にヒートシールして多数の区画された袋状空間部が形成され、該袋状空間部内がシート材を入れて仕切られた表側空間と裏側空間を有し、裏側空間内に、２００ミクロン以上の粉末状ないし球状の吸水性樹脂が封入され、表側空間内には消火剤とか有毒ガス吸収剤が封入されてなり、前記吸水性樹脂に吸水させて冷やし使用可能に構成されているとともに、該ベストの一部には、携帯用酸素ボンベ等の酸素補給具を入れ、または取り付けるポケット部が形成されていることにより、袋状空間部内の吸水性樹脂に吸水させて冷凍させ、ベストを着用することにより、融解熱および気化熱により良好に身体を冷やして消火活動等の猛暑での作業時に血液温度の上昇を防ぎ、猛烈な発汗を和らげ、猛暑作業の苦痛を和らげることができる効果を有し、また、袋状空間部が多数形成されて全体に均一に冷気が発せられるために、身体を局部的に冷やすことなく全体を良好に冷やすことができ、また、多数の袋状空間部により吸水性樹脂が全体に分散されているため、局部的にゴツゴツした感じがなく、身体に密着状にベストを着用することができるものとなる。
また、表側空間内には消火剤とか有毒ガス吸収剤が封入されていることにより、消火剤とか有毒ガス吸収剤により不慮の事故を良好に回避できる効果を有する。
また、消火活動時等において緊急時には、ポケット部から酸素補給具を取り出して、この酸素補給具により酸素を吸引して緊急脱出等を行うことができるものとなる。
【図面の簡単な説明】
【図１】  第１実施例のベストの斜視構成図である。
【図２】  図１のベストにおける袋状空間部の断面拡大構成図である。
【図３】  袋状空間部を表側空間と裏側空間を有する二重構造に形成させた断面拡大構成図である。
【図４】  ベストに設けられたポケット部の拡大斜視図である。
【図５】  第２実施例のベストの正面構成図である。
【図６】  従来のベストの着用状態を示す説明図である。
【符号の説明】
１  ベスト
１ａ  首挿入部
２  ヒートシール部
３  袋状空間部
３ａ  表側空間
３ｂ  裏側空間
５  着脱ベルト
６  ポケット部
７  表不織布
７ａ  小孔
８  裏不織布
８ａ  小孔
９  吸水性樹脂
１０  仕切りシート材
１１  消火剤または有毒ガス吸収剤
１２  携帯用酸素補給具
【図１】
0004021031.tif 000002
【図２】
0004021031.tif 000003
【図３】
0004021031.tif 000004
【図４】
0004021031.tif 000005
【図５】
0004021031.tif 000006
【図６】
0004021031.tif 000007